【事件の表示】
　特願２００１−　１３０４７「多色インクを用いる印刷用の分版方法」拒絶査定不服審判事件〔平成１４年　７月３１日出願公開、特開２００２−２１１０１５〕について、次のとおり審決する。
【結　論】
　本件審判の請求は、成り立たない。
【理　由】
第１　手続の経緯
　本願は平成１３年１月２２日の出願であって、平成１５年７月２３日付けで拒絶の査定がされたため、これを不服として同年９月３日付けで本件審判請求がされるとともに、同日付けで明細書についての手続補正（以下「本件補正」という。）がされたものである。
　
第２　補正の却下の決定
［補正の却下の決定の結論］
　平成１５年９月３日付けの手続補正を却下する。
　
［理由］
１．補正事項
　本件補正は【請求項９】及び【請求項１０】の記載を次のように補正することを補正事項に含んでいる。以下、この補正事項を本件補正事項という。
補正前の記載
【請求項９】複数色のインクの混色によって色を再現するため、画像データの階調値を各色のインク量データに変換する画像処理装置であって、
　前記階調値とインク量データとの対応関係を記憶する記憶部と、
　該記憶部を参照して、前記変換処理を実行する変換処理部とを備え、
　前記インクには、混色によって黒を表現可能な３色の基準色インクと、総体積が単位体積を超える２種類以上の前記基準色インク中に含まれる色素と同量の色素を単位体積中に含有する有彩色インクが含まれ、
　前記対応関係は、色再現時に使用される印刷媒体の単位面積当たりに使用可能なインク量の上限値に相当するデューティ制限を満たす範囲で、色再現に要する前記基準色インクと有彩色インクのインク量を同時に設定されたことを特徴とする画像処理装置。
【請求項１０】コンピュータによって、複数色のインクの混色によって色を再現するため、画像データの階調値を各色のインク量データに変換するための画像処理用プログラムであって、
該プログラムは、
　前記階調値とインク量データとの対応関係に相当する変換テーブルにアクセスする機能と、
　該変換テーブルを参照して、前記変換処理を実行する機能とをコンピュータに実現させるプログラムであり、
　前記インクには、混色によって黒を表現可能な３色の基準色インクと、総体積が単位体積を超える２種類以上の前記基準色インク中に含まれる色素と同量の色素を単位体積中に含有する有彩色インクが含まれ、
　前記対応関係は、色再現時に使用される印刷媒体の単位面積当たりに使用可能なインク量の上限値に相当するデューティ制限を満たす範囲で、色再現に要する前記基準色インクと有彩色インクのインク量を同時に設定されたことを特徴とするプログラム。
　
補正後の記載
【請求項９】複数色のインクの混色によって色を再現するため、画像データの階調値を各色のインク量データに変換する画像処理装置であって、
　前記階調値とインク量データとの対応関係を記憶する記憶部と、
　該記憶部を参照して、前記変換処理を実行する変換処理部とを備え、
　前記インクには、混色によって黒を表現可能な３色の基準色インクと、総体積が単位体積を超える２種類以上の前記基準色インク中に含まれる色素と同量の色素を単位体積中に含有する有彩色インクが含まれ、
　前記対応関係は、色再現時に使用される印刷媒体の単位面積当たりに使用可能なインク量の上限値に相当するデューティ制限を満たす範囲で、色再現に要する前記基準色インクと有彩色インクのインク量
が、前記基準色インクのみを用いて色再現を行うための該基準色インク量の一部を前記有彩色インクに置換した場合に得られるインク量低減効果を踏まえて、同時に設定されたことを特徴とする
【請求項１０】コンピュータによって、複数色のインクの混色によって色を再現するため、画像データの階調値を各色のインク量データに変換するための画像処理用プログラムであって、
該プログラムは、
　前記階調値とインク量データとの対応関係に相当する変換テーブルにアクセスする機能と、
　該変換テーブルを参照して、前記変換処理を実行する機能とをコンピュータに実現させるプログラムであり、
　前記インクには、混色によって黒を表現可能な３色の基準色インクと、総体積が単位体積を超える２種類以上の前記基準色インク中に含まれる色素と同量の色素を単位体積中に含有する有彩色インクが含まれ、
　前記対応関係は、色再現時に使用される印刷媒体の単位面積当たりに使用可能なインク量の上限値に相当するデューティ制限を満たす範囲で、色再現に要する前記基準色インク有彩色インクのインク量
が、前記基準色インクのみを用いて色再現を行うための該基準色インク量の一部を前記有彩色インクに置換した場合に得られるインク量低減効果を踏まえて、
　
２．補正目的
　本件補正事項は、一見すると「対応関係」について「前記基準色インクのみを用いて色再現を行うための該基準色インク量の一部を前記有彩色インクに置換した場合に得られるインク量低減効果を踏まえて」設定された旨限定するように思える。
　しかし、本件補正前後を通じて、請求項９に係る発明は「画像処理装置」の発明であり、請求項１０に係る発明は「プログラム」の発明であって、対応関係は請求項９発明の記憶部に記憶されていたり、請求項１０発明のアクセス先である変換テーブルに記憶されているだけであり、その対応関係をどのような手順で、あるいはどのような設計思想のもとに定めたかは、「画像処理装置」や「プログラム」の発明を特定する事項とはならない。
　本件補正事項からせいぜい認定できることは、対応関係が「前記基準色インクのみを用いて色再現を行うための該基準色インク量の一部を前記有彩色インクに置換した場合に得られるインク量低減効果」を反映した関係になっていることだけである。
　ところで、本件補正前においても、「前記インクには、混色によって黒を表現可能な３色の基準色インクと、総体積が単位体積を超える２種類以上の前記基準色インク中に含まれる色素と同量の色素を単位体積中に含有する有彩色インクが含まれ」とあるのだから、有彩色インクを用いれば、用いない場合と比較してインク量は低減されるから、上記下線部の有無にかかわらず、「前記基準色インクのみを用いて色再現を行うための該基準色インク量の一部を前記有彩色インクに置換した場合に得られるインク量低減効果」を反映した対応関係であることは自明である。
　さらに、請求項１０の場合は「プログラム」の発明であるから、アクセス先である変換テーブルにおける対応関係の内容もプログラムを特定する事項とはならない。
　そうである以上、本件補正事項を特許請求の範囲の減縮を目的とするものと認めることはできない。また、本件補正事項が、請求項削除、誤記の訂正又は明りようでない記載の釈明に該当しないことも明らかである。
　したがって、本件補正事項を含む本件補正は特許法１７条の２第４項の規定に違反している。
　
［補正の却下の決定のむすび］
　本件補正は特許法１７条の２第４項の規定に違反しているから、特許法１５９条１項で読み替えて準用する同法５３条１項の規定により却下されなければならない。
　よって、補正の却下の決定の結論のとおり決定する。
　
第３　本件審判請求についての判断
１．本願発明の認定
　本件補正は却下されたから、本願の請求項９及び請求項１０に係る発明（以下「本願発明９」及び「本願発明１０」という。）は、願書に最初に添付した明細書の特許請求の範囲【請求項９】及び【請求項１０】に記載された事項によって特定されるものであり、その記載は前述のとおりであるから再掲しない。
　
２．引用刊行物の記載事項
　原査定の拒絶の理由に引用された特開２０００−３４３７３１号公報（以下「引用例」という。）には、以下のア〜スの記載が図示とともにある。
　ア．「従来から用いられていたシアン（Ｃ）・マゼンタ（Ｍ）・イエロ（Ｙ）等の基本色インクに加えて、ダークイエロ（ＤＹ）のインクを備える。Ｙインク，Ｃインク，Ｍインクによる各ドットを形成するかわりに、ＤＹインクのドットを形成すれば、それだけドット形成判断の自由度が増大するとともに、インクデューティ制限も緩和される。その結果、より高画質の画像を印刷することが可能となる。」（【要約】の【解決手段】欄）
　イ．「印刷媒体上に各種インクによるインクドットを形成して画像を印刷する方法を実現するプログラムを、コンピュータで読み取り可能に記録した記録媒体であって、
組合せにより無彩色を表現可能な複数の基本色インクによるドットの形成有無と、主に吸収する光の波長範囲が該基本色インク中の一の基本色インクと重複しかつ該一の基本色インクより明度の低い暗インクによるドットの形成有無とを、画像データに基づいて判断する機能と、
前記各種インクのドットについての前記判断結果に基づいて、前記基本色インクによるドットの形成、および前記暗インクによるドットの形成を制御する機能とをコンピュータを用いて実現するプログラムを記録した記録媒体。」（【請求項６６】）
　ウ．「印刷媒体には単位面積当たりに打ち込み可能な総インク量に制限があり、ドットの形成密度を無制限に高くすることはできない。このような制限を、インクデューティ制限と呼ぶことにする。許容できるドット密度を超えてインクを打ち込むと、滲みが生じたり、印刷媒体にしわができる等の問題が生じる。このような問題の発生を避けるために、印刷媒体毎に形成可能な最大ドット密度（インクデューティ制限値）を設定し、各インクのドットの合計密度がこのインクデューティ制限値を越えないようにしている。」（段落【０００６】）
　エ．「画像データに基づいて、各種インクによるドットの形成有無を判断する本発明の印刷制御装置においては、次のような、前記各種インクを用いて大きさの異なる２種類以上のドットを形成可能な印刷部に、ドットの形成を制御する制御情報を供給する印刷制御装置としてもよい。すなわち、前記各種インクについて、ドットの形成有無と、前記印刷部で形成すべきドットの大きさとを判断し、該判断結果を前記印刷部に供給し、該印刷部では、該制御情報に従って、前記各種インクを用いて、適切な大きさのドットを形成する。」（段落【００４８】）
　オ．「本実施例では、印刷用紙上にシアン，ライトシアン（薄いシアン），マゼンタ，ライトマゼンタ（薄いマゼンタ），イエロ，ダークイエロ（暗いイエロ），ブラックの合計７色のドットを形成することによって、カラー画像を印刷するインクジェットプリンタを使用している。」（段落【０１２７】）
　カ．「図２に概念的に示すように、プリンタドライバ９２が行う画像処理は、解像度変換モジュール９３と、色変換モジュール９４と、ハーフトーンモジュール９５と，インターレースモジュール９６の大きく４つのモジュールから構成されている。各モジュールで行う画像処理の内容は後述するが、プリンタドライバ９２が受け取った画像データは、これらモジュールで変換された後、最終的な画像データＦＮＬとしてカラープリンタ２０に出力される。」（段落【０１３０】）
　キ．「詳細には後述するが、ＤＹインクは、ＹインクとＬＣインクとＬＭインクとが混ざったような色のインクである。従って、Ｙインクのドットと、Ｃインクのドットと、Ｍインクのドットとを形成するかわりに、ＤＹインクのドットを形成することによって同様の画像を印刷することができる。」（段落【０１４８】）
　ク．「ＤＹドットを形成することによって、ＬＣドット，ＬＭドットの形成量は少なくすることができるが、それによりインクデューティ制限に余裕ができるので、ＣドットやＭドットがより目立ち難いＬＣドットやＬＭドットに置き換えられることによる。」（段落【０１５０】）
　ケ．「ダークイエロインク：図１２は、本実施例のカラープリンタ２０で用いられるインク成分の一例を示したものである。図示するように、各色のインクは、サーフィノールの水溶液に、粘度調整用のジエチレングリコールと、各色毎の染料とを適量ずつ添加した混合溶液である。本実施例で用いたダークイエロのインクは、イエロインクの染料であるダイレクトイエロ８６に、シアンインクの染料であるダイレクトブルー１９９とマゼンタインクの染料であるアシッドレッド２８９とを略等量ずつ添加した組成となっている。」（段落【０１６３】）
　コ．「色変換処理：解像度変換処理が終了すると、ＣＰＵ８１は色変換処理を行う（ステップＳ１０４）。前述したように、アプリケーションプログラム９１は、一般にカラー画像を赤色（Ｒ），緑色（Ｇ），青色（Ｂ）の３色の階調画像データとして表現しているが、カラープリンタ２０は、原理的には、カラー画像をシアン色（Ｃ），マゼンタ色（Ｍ），イエロ色（Ｙ）の３色の減法混色によって表現する。従って、カラー画像の印刷に際しては、Ｒ・Ｇ・Ｂの３色による色の表現方法を、Ｃ・Ｍ・Ｙの３色による色の表現方法に変換する必要がある。色変換処理はこのような変換を行う処理である。本実施例では、実際には、Ｃ・Ｍ・Ｙの３色ではなく、Ｋ・ＬＣ・ＬＭ・ＤＹを加えた合計７色に変換しているが、ここでは説明を簡略化するために、Ｃ・Ｍ・Ｙの３色に変換するものとして説明する。色変換処理を行うと、それぞれ２５６階調を持ったＲ・Ｇ・Ｂ階調画像データが、２５６階調を持ったＣ・Ｍ・Ｙの階調画像データに変換される。」（段落【０１７７】）
　サ．「ＣＰＵ８１は、図１９に示すような変換表を参照して、Ｒ・Ｇ・Ｂ階調値をＣ・Ｍ・Ｙ階調値に変換している。図示するように、変換表はＲ・Ｇ・Ｂの階調値を軸とする３次元の数表（色立体）であり、本実施例では各軸の値は０から２５５の値を採りうる。互いに直交するＲ・Ｇ・Ｂ各軸が張る空間を色空間と呼ぶ。変換表は、色立体を小さな立方体に細分し、小さな各立方体の頂点毎に、対応するＣ・Ｍ・Ｙの階調値を記憶したものである。」（段落【０１７８】）
　シ．「変換表は、ＲＧＢの色立体に含まれる各座標に対して、Ｃ・Ｍ・Ｙの階調値を一組定めるという機能を果たすものである。変換表に、Ｃ・Ｍ・Ｙの階調値に加えて、Ｋ（黒），ＬＣ（淡いシアン），ＬＭ（淡いマゼンタ），ＤＹ（暗いイエロ）の各階調値を記憶しておけば、ＲＧＢ色立体内の各座標に対して、Ｃ，Ｍ，Ｙ，Ｋ，ＬＣ，ＬＭ，ＤＹの各階調値を対応付けることができる。また、変換表には、中間的なＣ，Ｍ，Ｙの値あるいは、Ｃ，Ｍ，Ｙ，Ｋの値、あるいはＣ，Ｍ，Ｙ，Ｋ，ＬＣ，ＬＭの値を記憶しておいて、そこから演算等により最終的なＣ，Ｍ，Ｙ，Ｋ，ＬＣ，ＬＭ，ＤＹの各階調値を求めても良い。」（段落【０１８０】）
　ス．「色変換後の画像データは、Ｃ，Ｍ，Ｙ，Ｋ，ＬＣ，ＬＭ，ＤＹの７色の２５６階調画像となっている。」（段落【０１８５】）
　
３．引用例記載の発明の認定
　以下では、本願明細書及び引用例に共通する用法にあわせ、シアン，ライトシアン（薄いシアン），マゼンタ，ライトマゼンタ（薄いマゼンタ），イエロ，ダークイエロ（暗いイエロ）及びブラックの各色をＣ，ＬＣ，Ｍ，ＬＭ，Ｙ，ＤＹ及びＫと、並びに光の三原色である赤色，緑色及び青色をＲ，Ｇ及びＢと表記する。
　引用例の記載シには、ＲＧＢの色立体に含まれる各座標に対して、変換表に、Ｃ，ＬＣ，Ｍ，ＬＭ，Ｙ，ＤＹ及びＫすべての階調値を記憶することが記載されている。
　引用例１の記載ウ等によれば、Ｃ，ＬＣ，Ｍ，ＬＭ，Ｙ，ＤＹ及びＫの階調値は、インクデューティ制限以下となるように設定されているものと認める。
　実施例に用いられているＤＹインクは、記載ケ及び【図１２】（この図は本願の【図１】と同一である。）によれば、Ｙインクと同量のＹ成分に加えて、ＬＣ及びＬＭインクと同量のＣ及びＭ成分を含むものである。
　引用例の記載コ〜スの色変換処理は、Ｃ，ＬＣ，Ｍ，ＬＭ，Ｙ，ＤＹ及びＫの７種類のインクを使用することを前提として、２５６階調のＲ，Ｇ，Ｂ階調画像データを２５６階調のＣ，Ｍ，Ｙ，Ｋ，ＬＣ，ＬＭ，ＤＹ階調データに変換する処理であり、その処理を行うものが記載カの「色変換モジュール９４」である。
　引用例記載の色変換モジュールは次のようなものと認めることができる。
「Ｃ，ＬＣ，Ｍ，ＬＭ，Ｙ，ＤＹ及びＫの７種類のインクを使用することを前提とし、２５６階調のＲ，Ｇ，Ｂ階調画像データを２５６階調のＣ，Ｍ，Ｙ，Ｋ，ＬＣ，ＬＭ，ＤＹ階調データに変換する色変換モジュールであって、
　２５６階調のＲ，Ｇ，Ｂ階調画像データの各値に対応づけるためのＣ，Ｍ，Ｙ，Ｋ，ＬＣ，ＬＭ，ＤＹ階調データを記憶した変換表を有し、
　前記変換表において、Ｃ，Ｍ，Ｙ，Ｋ，ＬＣ，ＬＭ，ＤＹ階調データはインクデューティ制限以下となるように設定されており、
　ＤＹインクはＹインクと同量のＹ成分に加えて、ＬＣ及びＬＭインクと同量のＣ及びＭ成分を含むものであり、
　前記変換表を参照して色変換を行う色変換モジュール。」（以下「引用発明１」という。）
　また、引用例の記載イによれば、色変換処理は適宜のプログラムによりコンピュータを用いて実現されると解されるところ、そのプログラムは次のようなものと認めることができる。
「Ｃ，ＬＣ，Ｍ，ＬＭ，Ｙ，ＤＹ及びＫの７種類のインクを使用することを前提とし、コンピュータを用いて、２５６階調のＲ，Ｇ，Ｂ階調画像データを２５６階調のＣ，Ｍ，Ｙ，Ｋ，ＬＣ，ＬＭ，ＤＹ階調データに変換するためのプログラムであって、
　ＤＹインクはＹインクと同量のＹ成分に加えて、ＬＣ及びＬＭインクと同量のＣ及びＭ成分を含むものであり、
　２５６階調のＲ，Ｇ，Ｂ階調画像データの各値に対応づけるためのＣ，Ｍ，Ｙ，Ｋ，ＬＣ，ＬＭ，ＤＹ階調データを記憶した変換表にアクセスし、前記変換表を参照することにより前記色変換を実行させるプログラム。」（以下「引用発明２」という。）
　
４．本願発明９と引用発明１との対比
　引用発明１の「Ｃ，ＬＣ，Ｍ，ＬＭ，Ｙ，ＤＹ及びＫの７種類のインク」、「Ｒ，Ｇ，Ｂ階調画像データ」及び「Ｃ，Ｍ，Ｙ，Ｋ，ＬＣ，ＬＭ，ＤＹ階調データ」は、本願発明９の「複数色のインク」、「画像データの階調値」及び「各色のインク量データ」にそれぞれ相当し、引用発明１も「複数色のインクの混色によって色を再現するため」の「色変換モジュール」である。そうである以上、引用発明１の「色変換モジュール」を「画像処理装置」ということもできる。
　引用発明１の「２５６階調のＲ，Ｇ，Ｂ階調画像データの各値に対応づけるためのＣ，Ｍ，Ｙ，Ｋ，ＬＣ，ＬＭ，ＤＹ階調データを記憶した変換表」本願発明９の「２５６階調のＲ，Ｇ，Ｂ階調画像データの各値に対応づけるためのＣ，Ｍ，Ｙ，Ｋ，ＬＣ，ＬＭ，ＤＹ階調データを記憶した変換表」に相当し、引用発明１では「変換表を参照して色変換を行う」のだから、本願発明９の「該記憶部を参照して、前記変換処理を実行する変換処理部」を備えると認める。
　引用発明１のＣ，Ｍ及びＹのインクは本願発明の「混色によって黒を表現可能な３色の基準色インク」に相当し、引用発明１の「ＤＹインクは」は本願発明の「総体積が単位体積を超える２種類以上の前記基準色インク中に含まれる色素と同量の色素を単位体積中に含有する有彩色インク」に相当する。
　引用発明１では、Ｃ，Ｍ，Ｙ，Ｋ，ＬＣ，ＬＭ，ＤＹ階調データはインクデューティ制限以下となるように設定されており、引用例の記載ア，クにあるように、ＤＹインクを用いることにより、インクデューティ制限が緩和され、かつＣ，Ｍ，ＹインクとＤＹインクの階調データは変換表を参照することで同時に得られるのだから、引用発明１においても「前記対応関係は、色再現時に使用される印刷媒体の単位面積当たりに使用可能なインク量の上限値に相当するデューティ制限を満たす範囲で、色再現に要する前記基準色インクと有彩色インクのインク量を同時に設定された」といえる。なお、「同時に」との文言については、対応関係を設定する行為自体は画像処理装置を特定する事項にならないので、「画像データの階調値」に対して「基準色インクと有彩色インクのインク量」が同時に得られること以上の意味を認定することができない。
　したがって、本願発明９と引用発明１とは、
「複数色のインクの混色によって色を再現するため、画像データの階調値を各色のインク量データに変換する画像処理装置であって、
　前記階調値とインク量データとの対応関係を記憶する記憶部と、
　該記憶部を参照して、前記変換処理を実行する変換処理部とを備え、
　前記インクには、混色によって黒を表現可能な３色の基準色インクと、総体積が単位体積を超える２種類以上の前記基準色インク中に含まれる色素と同量の色素を単位体積中に含有する有彩色インクが含まれ、
　前記対応関係は、色再現時に使用される印刷媒体の単位面積当たりに使用可能なインク量の上限値に相当するデューティ制限を満たす範囲で、色再現に要する前記基準色インクと有彩色インクのインク量を同時に設定された画像処理装置。」である点で一致し、両者に相違点は存在しない。
　すなわち、本願発明９は引用発明１そのものである（特許法２９条１項３号該当）から、特許法２９条１項の規定により特許を受けることができない。
　
４．本願発明１０と引用発明２との対比
　引用発明２の「Ｃ，ＬＣ，Ｍ，ＬＭ，Ｙ，ＤＹ及びＫの７種類のインク」、「Ｒ，Ｇ，Ｂ階調画像データ」及び「Ｃ，Ｍ，Ｙ，Ｋ，ＬＣ，ＬＭ，ＤＹ階調データ」は、本願発明１０の「複数色のインク」、「画像データの階調値」及び「各色のインク量データ」にそれぞれ相当し、引用発明２も「コンピュータによって、複数色のインクの混色によって色を再現するため、画像データの階調値を各色のインク量データに変換するための画像処理用プログラム」である。
　引用発明２のアクセス先である「２５６階調のＲ，Ｇ，Ｂ階調画像データの各値に対応づけるためのＣ，Ｍ，Ｙ，Ｋ，ＬＣ，ＬＭ，ＤＹ階調データを記憶した変換表」は本願発明１０ののアクセス先である「前記階調値とインク量データとの対応関係に相当する変換テーブル」に相当し、引用発明２は「変換テーブルにアクセスする機能」及び「該変換テーブルを参照して、前記変換処理を実行する機能」をコンピュータに実現させるプログラムであると認める。
　引用発明２のＣ，Ｍ及びＹのインクは本願発明の「混色によって黒を表現可能な３色の基準色インク」に相当し、引用発明１の「ＤＹインクは」は本願発明の「総体積が単位体積を超える２種類以上の前記基準色インク中に含まれる色素と同量の色素を単位体積中に含有する有彩色インク」に相当する。
　引用発明２では、Ｃ，Ｍ，Ｙ，Ｋ，ＬＣ，ＬＭ，ＤＹ階調データはインクデューティ制限以下となるように設定された変換表を用いることが予定されており（引用発明１の発明特定事項である。引用発明２の変換表又は本願発明１０の変換テーブル自体は、引用発明２又は本願発明１０の発明特定事項ではなく、アクセス先にすぎない。）、引用例の記載ア，クにあるように、ＤＹインクを用いることにより、インクデューティ制限が緩和され、かつＣ，Ｍ，ＹインクとＤＹインクの階調データは変換表を参照することで同時に得られるのだから、引用発明２は「前記対応関係は、色再現時に使用される印刷媒体の単位面積当たりに使用可能なインク量の上限値に相当するデューティ制限を満たす範囲で、色再現に要する前記基準色インクと有彩色インクのインク量を同時に設定された」との要件を満たすというべきである。なお、「同時に」との文言については、対応関係を設定する行為自体はプログラムを特定する事項にならないので、「画像データの階調値」に対して「基準色インクと有彩色インクのインク量」が同時に得られること以上の意味を認定することができない。
　したがって、本願発明１０と引用発明２とは、
「コンピュータによって、複数色のインクの混色によって色を再現するため、画像データの階調値を各色のインク量データに変換するための画像処理用プログラムであって、
該プログラムは、
　前記階調値とインク量データとの対応関係に相当する変換テーブルにアクセスする機能と、
　該変換テーブルを参照して、前記変換処理を実行する機能とをコンピュータに実現させるプログラムであり、
　前記インクには、混色によって黒を表現可能な３色の基準色インクと、総体積が単位体積を超える２種類以上の前記基準色インク中に含まれる色素と同量の色素を単位体積中に含有する有彩色インクが含まれ、
　前記対応関係は、色再現時に使用される印刷媒体の単位面積当たりに使用可能なインク量の上限値に相当するデューティ制限を満たす範囲で、色再現に要する前記基準色インクと有彩色インクのインク量を同時に設定されたプログラム。」である点で一致し、両者に相違点は存在しない。
　すなわち、本願発明１０は引用発明２そのものである（特許法２９条１項３号該当）から、特許法２９条１項の規定により特許を受けることができない。
　
第４　むすび
　本件補正は却下されなければならず、本願発明９及び本願発明１０が特許を受けることができないから、本願のその余の請求項に係る発明について検討するまでもなく、本願は拒絶を免れない。
　よって、結論のとおり審決する。